(57)【特許請求の範囲】
【請求項１】
遊技動作を制御する制御回路が形成されている制御基板と、この制御基板を内部に収納するために、少なくともベース部及び蓋部に分割された箱状に形成されている基板ケースと、この基板ケースに貼付されるとともに、当該遊技機の固有の情報が記録されたＩＣタグが設けられているＩＣタグシールとを備えた遊技機であって、
前記ベース部及び前記蓋部のそれぞれの互いに対応する部分に配置されるとともに、互いに組み合わされるように形成されている一対の被挟持部と、
前記ＩＣタグシールが貼付される面として前記一対の被挟持部の少なくとも一方に形成されているタグ貼付面と、
互いに組み合わされた前記一対の被挟持部を両側から挟み込むために、基端部分が結合されているとともに先端部分が二股に分かれ、且つ、前記一対の被挟持部の表面全体を覆う大きさの板状に形成された一対の腕部を有し、組み合わされた前記一対の被挟持部の表面全体を前記一対の腕部が覆う閉鎖位置まで押し込むことにより、前記基板ケースに取り付けられるとともに、この閉鎖位置から引き抜くことにより、前記基板ケースから取り外せるようになっているカバー部材と、
前記閉鎖位置から引き抜かれる際における前記カバー部材の移動方向に沿って延びるとともに、前記タグ貼付面を横切るように形成されているスリットと、
前記ＩＣタグシールを破断する刃が長手方向に沿って形成されたブレード部及び笠状に広がった頭部を有し、前記頭部の底に前記ブレード部が突設されている破断部材と、
前記タグ貼付面に対向する前記腕部の先端縁近傍に開口されるとともに、前記破断部材の前記ブレード部が差し込まれるブレード挿通孔とが設けられ、
前記スリットの端部は、前記タグ貼付面から逸脱するとともに、ＩＣタグシールの破断を開始する破断スタート位置として設定されている位置まで延び、
前記ブレード挿通孔は、前記カバー部材が前記閉鎖位置に配置されると、前記タグ貼付面から逸脱した位置まで延びた前記スリットの前記端部と対向する位置に配置され、
前記カバー部材における前記ブレード挿通孔の周囲部分には、先端側が弾性変形可能な係止爪、及び、この係止爪を係止する係止段部の一方が設けられ、
前記破断部材の前記頭部には、前記係止爪及び前記係止段部の他方が設けられ、
前記係止爪及び前記係止段部は、前記ブレード挿通孔に前記破断部材の前記ブレード部が差し込まれた際に、前記ブレード挿通孔から前記破断部材が抜き取れないように相互に係止し合うものであり、
前記ブレード部は、前記カバー部材が前記閉鎖位置に配置されている状態で、前記ブレード挿通孔に差し込まれると、前記破断スタート位置に設置され、前記閉鎖位置から前記カバー部材が引き抜かれるのに伴って、前記タグ貼付面の貼付されたＩＣタグシールを破断するように形成されたことを特徴とする遊技機。
【発明の詳細な説明】
【技術分野】
【０００１】
本発明は、遊技動作を制御する制御回路が形成されている制御基板と、この制御基板を内部に収納するために、少なくともベース部及び蓋部に分割された箱状に形成されている基板ケースと、この基板ケースに貼付されるとともに、当該遊技機の固有の情報が記録されたＩＣタグが設けられているＩＣタグシールとを備えた遊技機に関する。
【背景技術】
【０００２】
従来から、スロットマシンの遊技機は、遊技を行うのに必要な遊技装置、遊技装置の動作を制御する制御回路が形成された制御基板、及び、遊技装置及び制御基板に電力を供給する電源装置等を備えたものとなっている。
このうち、制御基板は、遊技動作を制御するプログラムを記憶したＲＯＭ、及び、高速演算機能を有するＬＳＩ等からなるＣＰＵを備え、ＲＯＭに記憶されたプログラムをＣＰＵで実行するものとなっている。
このような制御基板は、真正のＲＯＭを入賞しやすい不正なプログラムを記憶した不正ＲＯＭに交換する等の不正行為を防止するために、箱状に形成された透明な合成樹脂製の基板ケースの内部に収納されている。
【０００３】
制御基板を収納する基板ケースとしては、一面が開口された箱状となっているとともに、制御基板が設置されるベース部と、このベース部に設置された制御基板の上方を覆う蓋部とを備えたものが一般的である。
そして、これらのベース部及び蓋部は、内部に設置された制御基板を不正行為から保護するために、閉じた状態で互いに結合されるようになっている。
【０００４】
これらのベース部及び蓋部の結合には、専用の結合具、例えば、一方が他方の内部に挿入可能となるように、入れ子状に形成された一対の筒体を備えた、いわゆる「カシメ」が利用される。
すなわち、「カシメ」の一対の筒体のうち、内側の筒体の外周面には、鉤状の返し部を有する爪部が形成され、外側の筒体の内周面には、前述の爪部を係止する段部が形成されている。一対の筒体のうちの一方を他方の内部に挿入すると、一方の爪部が他方の段部に係止され、これにより、一方が他方の内部に抜け止めされ、一対の筒体が相互に結合されるようになっている。
【０００５】
以上のような遊技機では、閉じられた基板ケースが不正に開けられた場合に、開けられたことが直ちに判るように、ベース部及び蓋部の両方に跨って封印シールが貼り付けられるようになっている。そして、基板ケースが開けられると、封印シールが破れるので、これにより、開けられたことが判るようになっている。
【０００６】
ここで、破れた封印シールの代わりに、贋物の封印シールを貼り付けることで、基板ケースを不正に開放したことを欺瞞することができる。この贋物の封印シールの対策として、近年、シリアルナンバー等の固有情報が電子的に記録されたＩＣタグが一体化されたＩＣタグシールを封印シールとして採用し、このＩＣタグシールを基板ケースに貼付することが実施されている。
【０００７】
このようなＩＣタグシールを採用すれば、専用の読取装置を利用すれば、記録内容の読み出しと、駆動電力の供給とが無線通信で同時に行えるので、貼り付けられた封印シールが本物であるか否かの判別を容易且つ迅速に行うことができる。
また、ＩＣタグが一体化されたＩＣタグシールを剥がすと、ＩＣタグの無線アンテナが破壊されるようにＩＣタグシールを形成することができ、このようなＩＣタグシールを採用すれば、外観を損傷させずにＩＣタグシールを基板ケースから剥がすことができても、ＩＣタグの無線アンテナが破壊され、ＩＣタグの記録内容が読み取ることができないので、基板ケースが不正に開けられたか否かの判別を容易且つ迅速に行うことができる。
【０００８】
しかしながら、前述のＩＣタグシールを利用しても、鋭利な刃物、例えば、カミソリ等を利用して、基板ケースからＩＣタグシールを丁寧に剥がせば、ＩＣタグの無線アンテナや外観に何らダメージを与えずに基板ケースからＩＣタグシールを剥がすことができ、これにより、剥がされたＩＣタグシールの再利用が可能となり、基板ケースを開けた後、ＩＣタグシールを再貼付するとで、基板ケースが開放されたか否かの判別が困難となる、という問題がある。
【０００９】
この問題を解決するために、ＩＣタグのチップが設けられるベースシートと、このベースシートを基板ケースに貼着するための貼着剤からなる貼着層と、ベースシート及び貼着層の間に形成されるとともに、貼着層の貼着力よりも弱い粘着力でベースシート及び貼着層を相互に結合する粘着層と、粘着層に成膜した金属膜をエッチングすることで形成された無線アンテナとを備え、且つ、貼着層の貼着力よりも小さい力でベースシートが破断されるようにしたＩＣタグシールが提案されている（例えば、特許文献１参照）。
【００１０】
このようなＩＣタグシールによれば、カミソリ等を利用してＩＣタグシールの剥離処理を丁寧に行ったとしても、基板ケースからＩＣタグシールを剥がすために、貼着層の貼着力に抗する剥離力をＩＣタグシールに加えると、この剥離力でベースシートが破断され、ＩＣタグシールの外観が損なわれる。
そのうえ、貼着層の貼着力に抗する剥離力は、ベースシートから粘着層を剥離させて、粘着層に形成されている無線アンテナを、ベースシートに形成されているＩＣタグから電気的に分離するので、ＩＣタグの記録内容の読み取りが不可能となる。
このため、カミソリ等を利用したＩＣタグシールの剥離処理でも、ＩＣタグシールの再利用が不可能となり、基板ケースを開けたか否かの判別を有効に行うことができる。
【先行技術文献】
【特許文献】
【００１１】
【特許文献１】特開２００９−５０５３７号公報
【発明の概要】
【発明が解決しようとする課題】
【００１２】
前述のような遊技機では、化学薬品で貼着層の貼着力を無力化することができれば、基板ケースからＩＣタグシールを剥がす際に、ＩＣタグシールに何ら力が加わらなくなり、ＩＣタグの無線アンテナや外観に何らダメージを与えずに基板ケースからＩＣタグシールを剥がすことができるので、剥がされたＩＣタグシールの再利用が可能となり、不正ＲＯＭに交換する等の不正行為の防止が確実に行えなくなるおそれがある。このため、基板ケースの開放によってＩＣタグシールが確実に破断される遊技機が要望されている。
【００１３】
そこで、各請求項にそれぞれ記載された各発明は、上記した従来の技術の有する問題点に鑑みてなされたものであり、その目的とするところは、基板ケースの開放によって、確実にＩＣタグシールが破断される遊技機を提供することである。
【課題を解決するための手段】
【００１４】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
【００１５】
（請求項１）
（特徴点）
請求項１記載の発明は、次の点を特徴とする。
すなわち、請求項１に記載された発明は、遊技動作を制御する制御回路が形成されている制御基板(80)と、この制御基板(80)を内部に収納するために、少なくともベース部(52)及び蓋部(53)に分割された箱状に形成されている基板ケース(50)と、この基板ケース(50)に貼付されるとともに、当該遊技機の固有の情報が記録されたＩＣタグが設けられているＩＣタグシール(12)とを備えた遊技機(１)であって、前記ベース部(52)及び前記蓋部(53)のそれぞれの互いに対応する部分に配置されるとともに、互いに組み合わされるように形成されている一対の被挟持部(54, 55)と、前記ＩＣタグシール(12)が貼付される面として前記一対の被挟持部(54, 55)の少なくとも一方に形成されているタグ貼付面(56A, 56B)と、互いに組み合わされた前記一対の被挟持部(54, 55)を両側から挟み込むために、基端部分が結合されているとともに先端部分が二股に分かれ、且つ、前記一対の被挟持部(54, 55)の表面全体を覆う大きさの板状に形成された一対の腕部(61A, 61B)を有し、組み合わされた前記一対の被挟持部(54, 55)の表面全体を前記一対の腕部(61A, 61B)が覆う閉鎖位置まで押し込むことにより、前記基板ケース(50)に取り付けられるとともに、この閉鎖位置から引き抜くことにより、前記基板ケース(50)から取り外せるようになっているカバー部材(60)と、前記閉鎖位置から引き抜かれる際における前記カバー部材(60)の移動方向に沿って延びるとともに、前記タグ貼付面(56A, 56B)を横切るように形成されているスリット(58A, 58B)と、前記ＩＣタグシール(12)を破断する刃が長手方向に沿って形成されたブレード部(72, 74)及び笠状に広がった頭部(71)を有し、前記頭部(71)の底に前記ブレード部(72, 74)が突設されている破断部材(70)と、前記タグ貼付面(56A, 56B)に対向する前記腕部(61B) の先端縁近傍に開口されるとともに、前記破断部材(70)の前記ブレード部(72, 74)が差し込まれるブレード挿通孔(60A) とが設けられ、前記スリット(58B) の端部は、前記タグ貼付面(56A, 56B)から逸脱するとともに、ＩＣタグシール(12)の破断を開始する破断スタート位置(α)として設定されている位置まで延び、前記ブレード挿通孔(60A) は、前記カバー部材(60)が前記閉鎖位置に配置されると、前記タグ貼付面(56A, 56B)から逸脱した位置まで延びた前記スリット(58B) の前記端部と対向する位置に配置され、前記カバー部材(60)における前記ブレード挿通孔(60A) の周囲部分には、先端側が弾性変形可能な係止爪(73)、及び、この係止爪(73)を係止する係止段部(64)の一方が設けられ、前記破断部材(70)の前記頭部(71)には、前記係止爪(73)及び前記係止段部(64)の他方が設けられ、前記係止爪(73)及び前記係止段部(64)は、前記ブレード挿通孔(60A) に前記破断部材(70)の前記ブレード部(72, 74)が差し込まれた際に、前記ブレード挿通孔(60A) から前記破断部材(70)が抜き取れないように相互に係止し合うものであり、前記ブレード部(72, 74)は、前記カバー部材(60)が前記閉鎖位置に配置されている状態で、前記ブレード挿通孔(60A) に差し込まれると、前記破断スタート位置(α)に設置され、前記閉鎖位置から前記カバー部材(60)が引き抜かれるのに伴って、前記タグ貼付面(56A, 56B)の貼付されたＩＣタグシール(12)を破断するように形成されたことを特徴とする。
【発明の効果】
【００１６】
（請求項１の効果）
以上のように構成されている本発明は、以下に記載されるような効果を奏する。
すなわち、請求項１記載の発明によれば、基板ケースを形成するベース部及び蓋部のそれぞれの互いに対応する部分に一対の被挟持部を設け、且つ、これら一対の被挟持部を互いに組み合わされるように形成するとともに、一対の被挟持部の少なくとも一方にＩＣタグシールを貼付するようにし、さらに、これらの一対の被挟持部をその両側から挟み込むとともに、一対の被挟持部の表面全体を覆う板状に形成された一対の腕部を有するカバー部材を設けたので、一対の被挟持部に設けられたタグ貼付面にＩＣタグシールを貼り付け、この状態でカバー部材を基板ケースに取り付ければ、ＩＣタグシールがカバー部材の内部に密閉され、ＩＣタグシールを基板ケースから剥がす際に、カミソリ等の刃物を利用することができなくなるうえ、化学薬品をＩＣタグシールに塗布することもできなくなり、従って、ＩＣタグシールのＩＣチップ、無線アンテナ及び外観等にダメージを与えずに基板ケースからＩＣタグシールを剥がすことが不可能となる。
また、ベース部及び蓋部のそれぞれに設けた一対の被挟持部をカバー部材の一対の腕部で挟み込むようにしたので、カバー部材の腕部が一対の被挟持部を挟み込む閉鎖位置にカバー部材が配置されると、基板ケースは開けることができず、基板ケースを開けるには、カバー部材を閉鎖位置から引き抜く必要がある。
【００１７】
ここで、カバー部材を被挟持部に向かって押し込んで基板ケースの閉鎖位置に配置し、この状態で、破断部材のブレード部をブレード挿通孔に差し込むと、ブレード部は、破断スタート位置に設置されるようになる。
この後、基板ケースを開くために、閉鎖位置からカバー部材を引き抜くと、カバー部材の引き抜き動作に伴って、破断部材のブレード部がスリットに沿って移動するので、移動するブレード部によって、タグ貼付面に貼付されているＩＣタグシールが確実に破断されるようになる。
このため、基板ケースの開放の際に、確実にＩＣタグシールが破断され、剥がされたＩＣタグシールの再利用を確実に不可能にすることができ、これにより、前記目的を達成することができる。
【図面の簡単な説明】
【００１８】
【図１】本発明の第１実施形態の全体を示す正面図である。
【図２】前記実施形態に係る筐体内部を示す正面図である。
【図３】前記実施形態に係る基板ケースを示す斜視図である。
【図４】前記実施形態に係る基板ケースを示す分解斜視図である。
【図５】前記実施形態に係る箱状部を示す斜視図である。
【図６】前記実施形態に係るベース部側の連結部分を示す分解斜視図である。
【図７】前記実施形態に係る蓋部側の連結部分を示す分解斜視図である。
【図８】前記実施形態に係る箱状部の連結部分を示す断面図である。
【図９】前記実施形態の要部を示す平断面図である。
【図１０】前記実施形態に係る破断部材の動作を説明するための断面図である。
【図１１】本発明の第２実施形態に係る基板ケースを示す斜視図である。
【図１２】前記実施形態に係る基板ケースを示す分解斜視図である。
【図１３】前記実施形態に係る箱状部を示す斜視図である。
【図１４】前記実施形態の要部を示す断面図である。
【図１５】前記実施形態に係る破断部材の動作を説明するための断面図である。
【発明を実施するための形態】
【００１９】
以下に、本発明を実施するための形態である実施形態について、図面を参照しながら説明する。
［第１実施形態］
（スロットマシン１の概要）
図１には、本発明の第１実施形態に係る遊技機としてのスロットマシン１が示されている。図１において、スロットマシン１は、三個の回転リール11の各々に記された複数種類の図柄が所定の組合せとなるように、回転している回転リール11を停止させる遊技を行うものである。このスロットマシン１には、図１に示すように、当該スロットマシン１の各種装置を収納するとともに、正面形状が長方形となった筐体２が備えられている。
筐体２は、前面全体が開口された箱状の部材である。そして、筐体２の前面開口は、当該筐体２に回動可能に取り付けられた前扉３で塞がれるようになっている。なお、前扉３は、閉じられると、自動的に施錠されるようになっている。
【００２０】
前扉３は、その前面をほぼ二分する上部パネル部４及び下部パネル部５を備えたものとなっている。そして、下部パネル部５の下方には、入賞時に払い出されるメダルを貯留する受皿部6Aが一体成形された受皿ユニット６が設けられている。また、また、上部パネル部４と下部パネル部５との間には、遊技に係る操作を行うための操作卓７が遊技者側に突出するように形成されている。
ここで、上部パネル部４及び下部パネル部５は、意匠的に優れた外観を確保するために、合成樹脂製の化粧板が表面に張り付けられたものとなっている。
【００２１】
（上部パネル部４）
上部パネル部４には、図１中、操作卓７の上方且つ幅方向の中央部分において長方形状に形成された表示窓4Aが設けられている。
ここで、筐体２内部に設けられた三個の回転リール11の各々は、その外周面に複数種類の図柄に記されている。そして、各回転リール11の図柄は、筐体２の外部から表示窓4Aを通して目視可能となっている。
【００２２】
上部パネル部４の上端縁部分には、正面形状が逆台形状に形成された演出用照明装置4Bが設けられている。この演出用照明装置4Bは、上部パネル部４の上端縁部分のほぼ中央に配置されている。演出用照明装置4Bの両端部は、上部パネル部４の角隅部分まで達することなく、その手前の位置で途切れたものとなっている。
また、上部パネル部４の上側における両角近傍には、正面形状が湾曲した帯状に形成されるとともに、漢数字の「八」を描く一対の演出用照明装置4Cが設けられている。これらの演出用照明装置4Cの各々は、その上端部が演出用照明装置4Bの端部近傍に配置されるとともに、その下端側の部分が上部パネル部４の側縁へ向かって斜め下方に延びたものとなっている。
さらに、上部パネル部４の両方の側縁には、演出用照明装置4Cの下端に接続された別の演出用照明装置4Dがそれぞれ設けられている。これらの演出用照明装置4Dの各々は、演出用照明装置4Cと同様に、上下方向に細長い帯状に形成されたものであり、演出用照明装置4Cの下端から、上部パネル部４の側縁に沿って延び、操作卓７の直近まで達するものとなっている。
これらの演出用照明装置4B〜4Dの各々は、赤色のレンズの内部に配置された高輝度発光ダイオード等の光源を備え、遊技の進行に応じて、その光源の点灯又は点滅により、遊技における視覚的な演出効果を高めるものである。
【００２３】
表示窓4A及び演出用照明装置4Bの間には、遊技の演出用画像を表示する液晶表示装置4Eが設けられている。この液晶表示装置4Eは、動画を含む様々な画像を、遊技の進行に応じて表示するものである。
液晶表示装置4Eの両側には、遊技に係る効果音を発生するスピーカを備えた音声出力部4Fがそれぞれ設けられている。
【００２４】
（操作卓７）
操作卓７は、遊技における操作に必要な各種のスイッチ類が配置されたものである。
すなわち、操作卓７における図１中右端の部分には、前扉３の施錠を解除するための鍵が挿入される鍵穴7Aが設けられている。この鍵穴7Aの左斜め上方には、メダルを投入するためのメダル投入口7Bが開口されたメダル投入部7Cが設けられている。
メダル投入口7Bの左斜め下方には、三個の回転リール11のそれぞれを停止させる際に操作される三個のストップボタン7Dが設けられている。これら三個のストップボタン7Dのうち、左端に配置されているストップボタン7Dの左斜め上方には、一度の操作で最大枚数のメダルを賭けることができるマックスベットボタン7Eが設けられている。
また、左端のストップボタン7Dの左方であって、マックスベットボタン7Eの左斜め下方の位置には、三個の回転リール11を一斉に回転させる際に操作されるスタートレバー7Fが設けられている。このスタートレバー7Fの左斜め上方には、１回の操作で貯留されているメダルを１枚賭けることのできる、換言すると、メダルを１枚ずつ賭ける際に操作されるベットスイッチ7Gが設けられている。
さらに、ベットスイッチ7Gの左斜め下方には、精算時に貯留されているメダルを払い出させる精算ボタン7Hが設けられている。
【００２５】
（下部パネル部５及び受皿ユニット６）
下部パネル部５には、スロットマシン１のモデルタイプを表す象徴するキャラクター等が描かれたパネル5Aが設けられている。
受皿ユニット６には、メダルを貯留する前述の受皿部6Aに加えて、入賞時に受皿部6Aへ向かって払い出されるメダルを排出させるメダル払出口6Bと、遊技に係る効果音を発生するスピーカを備えた音声出力部6Cとが設けられている。
【００２６】
（筐体２）
次に、筐体２について簡単に説明する。
筐体２は、遊技の進行に必要な機能を有する複数種類の内部装置を内部に収納する箱状のものである。すなわち、筐体２は、図２に示すように、天面、底面、両方の側面、及び、背面の各々に配置される天板41、底板42、一対の側板43、及び、背板44を備えているとともに、前面が開口された六面体に形成されたものである。
また、筐体２には、一対の側板43の間に架け渡された中板45が設けられている。この中板45によって、筐体２の内部空間は、上下に仕切られている。
さらに、筐体２には、天板41の図２中下方の下面から下方へ突き出た平板状の抜け止め部46が設けられている。この抜け止め部46については、後で更に詳しく説明する。
【００２７】
（筐体２に収納されている内部装置）
次いで、筐体２の内部に設けられている内部装置について簡単に説明する。
筐体２の内部には、図２に示すように、スロットマシン１の遊技動作を制御するマイクロコンピュータからなるＣＰＵを備えた後述する主制御基板80を内蔵する基板ケース50、三個の回転リール11が回転自在に支持するとともに、これらの回転リール11のそれぞれを駆動する図示しないモータを備えたリールユニット10、内部に多数のメダルを貯留させる容器部21を備えるとともに受皿部6Aに向かってメダルを排出するホッパユニット20、及び、これらの装置に電力を供給する電源装置９等が設けられている。
このうち、リールユニット10は、それぞれが円筒状に形成された複数の回転リール11を有するものである。そして、これらの回転リール11の各外周面には、特に図示していないが、複数種類の図柄が記されている。
以上において、主制御基板80は、スロットマシン１の遊技動作を制御する制御回路が形成されている制御基板となっている。
【００２８】
前扉３の裏側の面には、表側の面に配置された液晶表示装置4Eに対応して、液晶表示装置4E、演出用照明装置4B〜4D及び音声出力部4F, 6Cの動作を制御する図示しないサブ制御基板を内蔵する基板ケース2Dが設けられている。
また、前扉３の裏側の面には、表側の面に開口されたメダル投入口7Bに対応して、投入されたメダルの適否を判定するメダルセレクタ８が設けられている。
【００２９】
(基板ケース50)
次に、前述の主制御基板を内蔵する基板ケース50について簡単に説明する。
基板ケース50は、図３に示すように、箱状に形成された箱状部51を備えたものである。この箱状部51は、遊技動作を制御する制御回路が形成されている制御基板である前述の主制御基板80を内部に収納するためのものである。
箱状部51は、外部から内部の視認が可能な透明合成樹脂製の部材であり、後述するベース部52と蓋部53とに分割可能となっている。なお、図３には、蓋部53のみが示され、ベース部52の図示は省略されている。
【００３０】
このような箱状部51の図３中上方の端縁中央部には、ベース部52及び蓋部53を両側から挟持するために、断面逆Ｕ字形のカバー部材60が取り付けられている。
このカバー部材60は、図３中下方の端縁近傍における略中央部に開口されるとともに、円形に形成されたブレード挿通孔60A を備えたものである。
このブレード挿通孔60A には、当該ブレード挿通孔60A に応じて円形の笠状に広がった頭部71を有する破断部材70が挿通されるようになっている。
【００３１】
更に詳しく説明すると、基板ケース50は、図４に示すように、前述したベース部52、蓋部53、カバー部材60及び破断部材70の五つを主要部品として備えたものである。
そして、ベース部52及び蓋部53には、遊技機であるスロットマシン１の固有の情報、例えば、製造番号であるシリアルナンバー等のデジタルデータが記録されたＩＣタグ（ＩＣチップ）が設けられているＩＣタグシール12が貼付されるようになっている。
【００３２】
ベース部52は、主制御基板80が取り付けられるものであり、適宜な構造の固定部材を介して筐体２に固定されている。
蓋部53は、ベース部52に取り付けられた主制御基板80を覆って、当該主制御基板80を保護するものであり、ベース部52と組み合わされることにより、ベース部52とともに内部に密閉された空間を形成している。
これらのベース部52及び蓋部53の図４中上方の端縁中央部は、互いに対応する部分に配置されたものであり、且つ、ベース部52と蓋部53とを閉鎖状態にすると、互いに組み合わされるように形成されたものである。換言すると、ベース部52及び蓋部53の上方端縁中央部は、互いに組み合わされるように形成されるとともに、ベース部52及び蓋部53におけるカバー部材60に挟持される一対の被挟持部54, 55となっている。
【００３３】
被挟持部54, 55には、カバー部材60の内部に収納される部分に、ＩＣタグシール12が貼付される面であるタグ貼付面56A, 56Bが形成されている。
すなわち、一対の被挟持部54, 55は、図５に示されるように、組み合わされると、略直方体の箱状を形成するようになっている。
そして、ベース部52側の被挟持部54に形成されたタグ貼付面56A 、及び、蓋部53側の被挟持部55に形成されたタグ貼付面56B は、一対の被挟持部54, 55が組み合わされると、同一面を形成するものとなっている。
【００３４】
このようなタグ貼付面56A, 56BにＩＣタグシール12を貼付すると、ＩＣタグシール12は、一対の被挟持部54, 55の両方にまたがって貼付され、ひいては、ベース部52及び蓋部53の両方にまたがって貼付されるようになっている。
これにより、タグ貼付面56A, 56BにＩＣタグシール12が貼付された状態で、ベース部52及び蓋部53が強制的に開放されて分離されると、ＩＣタグシール12が二つに分断されるようになっている。
【００３５】
タグ貼付面56A, 56Bには、図４及び図５に示されるように、貼付されたＩＣタグシール12の周囲を囲むように延びる立ち上がり部57A, 57Bが突設されている。
また、タグ貼付面56A, 56Bには、図５中左右方向の略中央部分において、当該タグ貼付面56A, 56Bを図５中上下に横切るように延びるスリット58A, 58Bが開口されている。
これらのスリット58A, 58Bは、破断部材70に設けられた後述するブレード部72を内部に挿通させるものである。破断部材70のブレード部72は、スリット58A, 58Bの内部に挿通された状態で、当該スリット58A, 58Bに沿って移動可能となっている。
破断部材70及びカバー部材60については、後で更に詳しく説明する。
【００３６】
（カシメ部材81及びカシメ受部82）
続いて、ベース部52及び蓋部53を相互に接合するための部材であるカシメ部材81及びカシメ受部82について詳しく説明する。
これらのカシメ部材81及びカシメ受部82は、一方が他方の内部に挿入可能となるように、入れ子状に形成された一対の筒体を有するものである。
【００３７】
すなわち、カシメ部材81は、図６に示すように、平たい直方体状に形成された基部81A と、入れ子状に形成された一対の筒体のうちの一方として、円筒状に形成された筒状突起部81B とを備えたものとなっている。
このうち、筒状突起部81B は、基部81A の蓋部53に対向する正面から蓋部53へ向かって突出するものとなっている。
また、直方体状の基部81A は、筒状突起部81B が突設された正面が長方形とされ、この長方形における図６中上下方向に延びる辺が長方形の長辺とされ、図６中左右方向に延びる辺が長方形の短辺とされている。
そして、基部81A は、短辺の長さ寸法が筒状突起部81B の直径よりも大きさとなっているとともに、長辺方向に沿った両側の側縁部81C が筒状突起部81B の根本から左右両側へ張り出したものとなっている。
さらに、基部81A は、長辺の長さ寸法が筒状突起部81B の直径の２倍程度の大きさとなっているとともに、その上半分の部位に筒状突起部81B が設けられ、下半分が平坦な部位となっている。
【００３８】
このような基部81A には、当該基部81A の背面及びその周縁に沿った四つの側面を覆うことができる直方体の箱状に形成された金属製の保護カバー部材83が背面側から取り付けられるようになっている。
保護カバー部材83は、基部81A 側の長辺に沿った側壁に開口された係止孔83A を有している。一方、基部81A の長辺に沿った側壁には、その表面から突出するとともに、保護カバー部材83側の係止孔83A に嵌め込まれる係止突起81D が設けられている。
保護カバー部材83は、カシメ部材81の背面を覆うように取り付けられると、その係止孔83A が基部81A 側の係止突起81D に係止され、カシメ部材81から脱落しないようになっている。
【００３９】
また、保護カバー部材83の四つの側壁のうち、基部81A 側の短辺に沿った側壁83B, 83Cは、基部81A 側の長辺に沿った側壁よりも突出量が大きく、その先端が基部81A 側の長辺に沿った側壁よりもカシメ部材81側に突出している。
これらの側壁83B, 83Cの両側の側縁には、当該側縁を四角形状に切り欠くことで形成された切り欠き部83D ,83Eがそれぞれ形成されている。
【００４０】
一方、ベース部52には、図６中、被挟持部54の両側に、取り外し可能にカシメ部材81が取り付けられるようになっているカシメ取付部84が形成されている。
このカシメ取付部84は、図６中下方の面に開口84A が形成されるとともに、手前の面に開口84B が形成された箱状の部位である。
カシメ取付部84の下方の開口84A は、カシメ部材81の平たい基部81A の上面に応じたサイズとされている。
また、カシメ取付部84の手前の開口84B は、その幅がカシメ部材81の筒状突起部81B の直径に応じた寸法となっており、開口84B の両側には、図６中上下方向に延びる鍔部84C が形成されている。
さらに、保護カバー部材83の側壁83B, 83Cに形成されている切り欠き部83D ,83Eの内部には、開口84B の両側に形成されている鍔部84C が挿通可能となっている。
【００４１】
これにより、保護カバー部材83が背部に取り付けられたカシメ部材81は、カシメ取付部84の下方の開口84A を通ってカシメ取付部84の内部に入れられ、保護カバー部材83の側壁83B, 83Cに形成された切り欠き部83D ,83Eの内部に鍔部84C を挿通させながら、カシメ取付部84の所定位置まで持ち上げられ、これにより、ベース部52への取り付けがなされるようになっている。
【００４２】
ここで、カシメ部材81は、カシメ取付部84の下方の開口から外部へ取り出すことができるが、手前の開口の両側に形成された鍔部84C に抜け止めされ、手前側へ引き抜くことが不可能、すなわち、開口84B から抜き取れないようになっている。
また、保護カバー部材83は、カシメ部材81がベース部52に取り付けられると、その側壁83B, 83Cに形成された切り欠き部83D ,83Eが、開口84B の両側に形成された鍔部84C に係止された状態となっている。これにより、カシメ部材81の背面と対向するベース部52の側壁が不正に切り取られ、保護カバー部材83の背面の大きさに相当する孔が開口されても、側壁83B, 83Cの切り欠き部83D ,83Eが、開口84B 両側の鍔部84C に係止され、不正に開けられた孔から保護カバー部材83を取り除くことができないようになっている。
【００４３】
このようなカシメ部材81と結合するカシメ受部82は、図７に示すように、蓋部53におけるベース部52に設けられているカシメ取付部84に対応した位置に設けられている。
ここで、カシメ受部82は、図７中、被挟持部55の両側に設けられている四角筒状の保護壁部82A と、この保護壁部82A の内部に保護されるように形成された円筒状の筒状受部82B とを有するものとなっている。
【００４４】
四角筒状の保護壁部82A は、略正方形の断面形状を有するとともに、断面形状の略正方形が有する四つ辺のそれぞれに沿った４つの側壁を有するものとなっている。
これらの側壁のうち、カシメ部材81に設けられた基部81A の下半分における平坦な部位と対応する側壁は、その先端が他の側壁の先端よりも後退した位置に配置されている。これにより、保護壁部82A には、カシメ部材81に設けられた基部81A の下半分における平坦な部位を逃がす逃げが形成され、カシメ部材81との結合の際に、カシメ部材81の基部81A と干渉しないようになっている。
【００４５】
さらに、保護壁部82A の内部には、保護壁部82A の内側面を覆う金属製の保護プレート85が挿入されるようになっている。
保護プレート85は、帯状に形成された金属板の長手方向の途中部分を折り曲げることで、略正方形の断面形状を有する略筒状の部材である。
また、保護プレート85は、保護壁部82A への挿入方向の先端となる端縁から後端となる端縁に向かって細長く延びる切り欠き部85A が設けられている。
保護プレート85における切り欠き部85A の先端両側の部分は、筒状の外側へ僅かに折り曲げられている。これにより、保護プレート85は、保護壁部82A の内部に挿入された際に、折り曲げられた切り欠き部85A の先端両側の部分が保護壁部82A の内側面に摩擦力で係止され、蓋部53から脱落しないようになっている。
【００４６】
カシメ受部82の筒状受部82B は、図８に示すように、カシメ部材81側の筒状突起部81B を内部に挿入させる円筒状の部位である。換言すると、筒状受部82B 及び筒状受部82Bは、入れ子状に形成された一対の筒体であり、筒状受部82B の内部に筒状突起部81B が挿入可能となっている。
そして、内側の筒体である筒状突起部81B の外周面には、図８の如く、鉤状の返し部81E を有する爪部81F が形成されている。
外側の筒体である筒状受部82B の内周面には、筒状突起部81B 側の爪部81F を係止する段部82C が形成されている。筒状突起部81B を筒状受部82B の内部に挿入すると、筒状突起部81B の爪部81F が筒状受部82B の段部82C に係止され、これにより、筒状突起部81B が筒状受部82B の内部に抜け止めされ、筒状突起部81B 及び筒状受部82B が相互に結合されるようになっている。
【００４７】
（破断部材70及びカバー部材60）
次に、カバー部材60及び破断部材70について詳しく説明する。
カバー部材60は、図９及び図１０（Ａ）に示すように、箱状部51側の互いに組み合わされた一対の被挟持部54, 55を両側から挟み込む一対の腕部61A, 61Bと、これらの腕部61A, 61Bの一端同士を連結する背板部61C とを有する断面逆Ｕ字形のものである。
ここで、図４に戻って、カバー部材60は、図４の如く、一対の腕部61A, 61Bの先端間が開口され、これにより、一対の腕部61A, 61Bの間に開口部62が形成されている。
【００４８】
また、一対の被挟持部54, 55のうち、被挟持部55の両側の側縁には、図９の如く、被挟持部55と直交する平板状の側壁部59がそれぞれ設けられている。
一方、被挟持部54は、被挟持部55及び側壁部59が形成する箱の開口を塞ぐ蓋となっている。そして、これらの被挟持部54, 55は、互いに対向する内面から相手側へ向かって突出して相手に当接する補強リブ59A, 59Bが一体成形されたものとなっている。
一対の被挟持部54, 55は、前述したように、組み合わされた際に箱状を形成するものであり、箱状を形成した際に、補強リブ59A, 59Bによって充分な剛性が確保され、両側から押されても潰れることがないように形成されている。
【００４９】
以上において、カバー部材60は、図４、図９及び図１０（Ａ）の如く、箱状部51側の互いに組み合わされた一対の被挟持部54，55を両側から挟み込むために、基端部分が結合されているとともに先端部分が二股に分かれ、且つ、組み合わされた一対の被挟持部54, 55の表面全体を覆う大きさの板状に形成された一対の腕部61A, 61Bを有している。
そして、カバー部材60は、図１０（Ａ）に示すように、組み合わされた一対の被挟持部54, 55の表面全体を一対の腕部61A, 61Bが覆う閉鎖位置まで押し込むことにより、基板ケース50の箱状部51に取り付けられるとともに、この閉鎖位置から引き抜くことにより、基板ケース50の箱状部51から取り外せるようになっている。
【００５０】
この際、カバー部材60は、図２に示すように、基板ケース50が筐体２に取り付けられると、筐体２に設けられている天板41の下面から下方へ突き出た抜け止め部46の直下に近接して配置されるようになっている。
これにより、カバー部材60は、基板ケース50が筐体２に取り付けられた状態では、抜け止め部46が障害物となって基板ケース50の一対の被挟持部54，55から引き抜けないようになっている。換言すると、カバー部材60は、当該基板ケース50を筐体２から取り外さないと、一対の被挟持部54，55から引き抜くことができないようになっている。
従って、基板ケース50は、当該基板ケース50を筐体２から取り外さないと、カバー部材60を一対の被挟持部54，55から引き抜くことができず、筐体２から取り外すことで、はじめて開くことが可能となっている。
【００５１】
破断部材70は、図１０（Ａ）の如く、笠状に広がった円盤状の頭部71と、ＩＣタグシール12を破断する鋸歯状の刃が長手方向に沿って形成されたブレード部72とを有するものである。このうち、ブレード部72は、頭部71の底に突設されたもの、更に詳しく説明すると、頭部71の底面71A から図１０（Ａ）中下方へ突出するように、当該頭部71に設けられたものとなっている。
ここで、ブレード部72の鋸歯状の刃は、鋭いものではなく、切れ味のにぶい比較的なまくらなものである。
これにより、ブレード部72で破断されたＩＣタグシール12は、ギザギザに破断され、分断されたもの同士を繋ぎ合わせることが不可能、すなわち、破断後の再使用が不可能となっている。
【００５２】
図９に戻って、破断部材70に設けられた頭部71の底面71A における周縁近傍には、図９の如く、その底面71A から突出する一対の係止爪73が設けられている。
これらの係止爪73の各々は、先端部分に先細りとなった楔状部73A が形成されたものである。更に詳しく説明すると、これらの係止爪73は、互いに対向する面が底面71A に垂直とされ、その反対側となる面の先端部分に楔状部73A がそれぞれ突設されている。
そして、一対の係止爪73は、楔状部73A と底面71A との間の部分が板状に形成され、この板状部分が弾性変形可能な板バネ部73B となっている。
【００５３】
一方、ブレード挿通孔60A は、カバー部材60の図９中上方の腕部61A の表面から図９中上方へ突出する筒部60B を軸方向に貫通する孔であり、且つ、タグ貼付面56A に対向する腕部61A の先端縁近傍に開口されるとともに、破断部材70のブレード部72が差し込まれる孔となっている。
そして、カバー部材60におけるブレード挿通孔60A の周囲部分、すなわち、ブレード挿通孔60A を囲む内周面には、鍔部63が突設され、鍔部63の図９中下方の段差が破断部材70側の係止爪73を係止する係止段部64となっている。
【００５４】
破断部材70側の一対の係止爪73は、カバー部材60側のブレード挿通孔60A に破断部材70側のブレード部72が差し込まれた際に、ブレード挿通孔60A を囲む鍔部63に、その楔状部73A の傾斜面が押圧されるようになっている。
これにより、一対の係止爪73は、板バネ部73B が弾性変形し、先端の楔状部73A が互いに近づく方向に移動して、ブレード挿通孔60A の内部に入り込み、更に、ブレード挿通孔60A の奥に進み、楔状部73A が鍔部63を超えると、板バネ部73B が弾性力によって、元の状態に復帰して、楔状部73A が鍔部63に係止されるようになっている。
これにより、一対の係止爪73及び係止段部64は、ブレード挿通孔60A から破断部材70が抜き取れないように、相互に係止し合うようになっている。
【００５５】
ここで、図５に戻って、被挟持部54, 55側のタグ貼付面56A, 56Bを横切るように形成されたスリット58A, 58Bは、図５の如く、カバー部材60が閉鎖位置から引き抜かれる際におけるカバー部材60の移動方向に沿って延びるように形成されている。
また、スリット58A, 58Bは、タグ貼付面56A, 56Bの図５中左右方向における中心線から若干ずれた位置に形成されている。これにより、スリット58A, 58Bに沿って移動する破断部材70は、ＩＣタグシール12の中心に配置されるＩＣタグチップを避けて、ＩＣタグチップに接続されているアンテナ線を確実に破壊できるようになっている。
【００５６】
また、スリット58A, 58Bの端部は、タグ貼付面56A, 56Bから逸脱する位置に配置されている。そして、スリット58A, 58Bの端部のうち、図５中下方の端部は、ＩＣタグシール12の破断を開始する破断スタート位置αとして設定されている位置に配置されている。
換言すると、スリット58B は、図５中下方の部分が、ＩＣタグシール12の破断を開始する破断スタート位置αまで延びたものとなっている。
一方、カバー部材60側に形成されているブレード挿通孔60A は、カバー部材60が閉鎖位置に配置されると、図１０（Ａ）に示すように、タグ貼付面56A、56Bから逸脱した位置まで延びたスリット58A, 58Bの端部、すなわち、破断スタート位置αと対向する位置に配置されるようになっている。
【００５７】
破断部材70のブレード部72は、図１０（Ａ）の如く、カバー部材60が閉鎖位置に配置されている状態で、ブレード挿通孔60A に差し込まれるようになっており、ブレード挿通孔60A に差し込まれると、破断スタート位置αに設置されるようになっている。
そして、破断部材70のブレード部72は、閉鎖位置からカバー部材60が引き抜かれるのに伴って、スリット58A, 58Bに沿って移動し、図１０（Ｂ）に示すように、タグ貼付面56A, 56Bに貼付されたＩＣタグシール12を破断するようになっている。
【００５８】
以上のような本実施形態では、基板ケース50は、筐体２に取り付けられる際、ベース部52及び蓋部53が閉鎖状態にされるとともに、被挟持部54, 55がカバー部材60で挟持されて相互に結合された状態となる。
この状態で、破断部材70のブレード部72をカバー部材60のブレード挿通孔60A に差し込み、図１０（Ａ）に示すように、ブレード部72を破断スタート位置αに設置した後、基板ケース50を筐体２に取り付ける。
なお、カバー部材60のブレード挿通孔60A に破断部材70のブレード部72を差し込まずに、ブレード挿通孔60A の内部を空のしたままの状態で、基板ケース50を筐体２に取り付けてもよく、この場合には、カバー部材60は、基板ケース50からの取り外しの際に、ＩＣタグシール12を傷つけることなく、ＩＣタグシール12を覆う着脱自在のカバーとして機能するようになる。
【００５９】
そして、基板ケース50を筐体２に取り外した後、カバー部材60を被挟持部54, 55から引き抜くと、基板ケース50を開放することができる。
この際、被挟持部54, 55から引き抜かれる方向へカバー部材60の移動を開始すると、図１０（Ｂ）に示すように、カバー部材60と連動して、破断部材70のブレード部72が破断スタート位置αから移動を開始し、ブレード部72の刃先がタグ貼付面56A, 56Bに貼付されているＩＣタグシール12を切り裂き、ＩＣタグチップに接続されている無線アンテナを切断して破壊する。
【００６０】
（実施形態の効果）
前述のような本実施形態によれば、次のような効果が得られる。
すなわち、基板ケース50を形成するベース部52及び蓋部53のそれぞれの互いに対応する部分に一対の被挟持部54, 55を設け、且つ、これらの被挟持部54, 55を互いに組み合わせると箱状となるように形成するとともに、被挟持部54, 55の両方に跨るタグ貼付面56A, 56Bを設け、このタグ貼付面56A, 56BにＩＣタグシール12を貼付するようにし、さらに、これらの被挟持部54, 55をその両側から挟み込むとともに、被挟持部54, 55の表面全体を覆う板状に形成された一対の腕部61A, 61Bを有するカバー部材60を設けたので、被挟持部54, 55に設けられたタグ貼付面56A, 56BにＩＣタグシール12を貼り付け、この状態でカバー部材60を基板ケース50に取り付ければ、ＩＣタグシール12がカバー部材60の内部に密閉され、ＩＣタグシール12を基板ケース50から剥がす際に、カミソリ等の刃物を利用することができなくなるうえ、化学薬品をＩＣタグシール12に塗布することもできなくなり、従って、ＩＣタグシール12のＩＣチップ、無線アンテナ及び外観等にダメージを与えずに基板ケース50からＩＣタグシール12を剥がすことが不可能となる。
また、ベース部52及び蓋部53のそれぞれに設けた一対の被挟持部54, 55をカバー部材60の一対の腕部61A, 61Bで挟み込むようにしたので、カバー部材60の腕部61A, 61Bが一対の被挟持部54, 55を挟み込む閉鎖位置にカバー部材60が配置されると、基板ケース50は開けることができず、基板ケース50を開けるには、カバー部材60を閉鎖位置から引き抜く必要がある。
【００６１】
ここで、カバー部材60を被挟持部54, 55に向かって押し込んで基板ケース50の閉鎖位置に配置し、この状態で、カバー部材60に設けられたブレード挿通孔60A に破断部材70のブレード部72を差し込むと、ＩＣタグシール12を傷つけることなく、ブレード部72が破断スタート位置αに設置される。
この後、基板ケース50を開くために、閉鎖位置からカバー部材60を引き抜くと、カバー部材60の引き抜き動作に伴って、破断部材70のブレード部72がスリット58A, 58Bに沿って移動するので、移動するブレード部72によって、タグ貼付面56A, 56Bに貼付されているＩＣタグシール12を確実に破断することができる。
このため、基板ケース50の開放の際に、確実にＩＣタグシール12が破断され、剥がされたＩＣタグシール12の再利用を確実に不可能にすることができる。
【００６２】
さらに、ベース部52及び蓋部53を相互に結合するカシメ部材81及びカシメ受部82のうち、カシメ部材81については、その基部81A の背面及び側面を金属製の保護カバー部材83で覆って保護し、蓋部53については、その側面を金属製の保護プレート85で覆って保護するようにしたので、基板ケース50の内部に設けられているＲＯＭ等を不正なものに交換する際に、ドリル等の穿孔工具を利用して、基板ケース50の側面や裏面から、カシメ部材81及びカシメ受部82を破壊しようとしても、金属製の保護カバー部材83及び保護プレート85に遮られ、カシメ部材81及びカシメ受部82の破壊が防止され、ひいては、ＲＯＭ等の不正交換を未然に防止することができる。
なお、基板ケース50の正面から内部のカシメ部材81及びカシメ受部82が破壊されるケースはまれである。というのは、基板ケース50の正面から内部のカシメ部材81及びカシメ受部82を破壊すると、基板ケース50の前面に形成される破壊の痕跡が目立ち、スロットマシン１の前扉３を開いた時点で不正行為が発見されるからである。
【００６３】
また、保護カバー部材83の側壁83B, 83Cに切り欠き部83D ,83Eを形成し、保護カバー部材83が背部に取り付けられた状態で、カシメ部材81をベース部52に取り付けると、その側壁83B, 83Cに形成された切り欠き部83D ,83Eが、開口84B の両側に形成された鍔部84C に係止されるようにしたので、カシメ部材81の背面と対向するベース部52の側壁が不正に切り取られ、保護カバー部材83の背面の大きさに相当する孔が開口されても、側壁83B, 83Cの切り欠き部83D ,83Eが、開口84B 両側の鍔部84C に係止され、保護カバー部材83を取り除くことができない。従って、カシメ部材81及びカシメ受部82を破壊するために、保護カバー部材83の背面に孔を開けても、保護カバー部材83を取り除くことができず、これにより、カシメ部材81及びカシメ受部82の破壊が防止され、ひいては、ＲＯＭ等の不正交換を未然に防止することができる。
【００６４】
［第２実施形態］
図１１〜図１５には、本発明の第２実施形態が示されている。
本第２実施形態は、前記第１実施形態における被挟持部54, 55の内部に全体が収納可能な短尺のブレード部72を、先端が被挟持部54, 55の外部に突き出てしまう長尺のブレード部74としたものである。
なお、以下の説明において、前記第１実施形態と同様の装置や部位等には、同一符号を付し、その説明を省略又は簡略する。
【００６５】
すなわち、本第２実施形態に係る基板ケース50には、図１１及び図１２に示すように、被挟持部54の厚さ寸法（図１２中前後方向の寸法）に応じた長さのブレード部74を有する破断部材70が設けられている。このブレード部74の先端には、ブレード部74の周面から突出するとともに平たい形状に形成されたフランジ部75が設けられている。
一方、被挟持部54に設けられているスリット58Aは、図１２及び図１３に示すように、被挟持部54を図１２中前後方向に貫通している。
また、被挟持部55における破断スタート位置αに相当する位置には、図１２及び図１３の如く、ブレード部74のフランジ部75を挿通させる挿通孔58C が貫通している。
そして、被挟持部54における被挟持部55側の挿通孔58C に対応した位置には、図１４に示すように、ブレード部74のフランジ部75を挿通させる挿通孔58D が貫通している。
【００６６】
この際、破断部材70は、図１５（Ａ）に示すように、カバー部材60が閉鎖位置に配置されている状態で、ブレード部74がブレード挿通孔60A に差し込まれると、被挟持部55側から進入したフランジ部75が被挟持部54の表面54A から突出するようになっている。
そして、破断部材70のフランジ部75は、閉鎖位置からカバー部材60が引き抜かれるのに伴って、図１５（Ｂ）に示すように、被挟持部54の表面54A に沿って摺動し、これにより、ブレード部74がＩＣタグシール12を破断する際に、カバー部材60の開口部62が広がるのを未然に防止するようになっている。
【００６７】
このような本第２実施形態によっても、前記第１実施形態と同様の作用効果を奏することができるうえ、次のような効果を付加できる。
すなわち、閉鎖位置からカバー部材60が引き抜かれるのに伴って、被挟持部54の表面54A に沿って摺動するフランジ部75を破断部材70に設けたブレード部74の先端に設けたので、ブレード部74でＩＣタグシール12を破断する際に、カバー部材60の開口部62が広がらなくなり、カバー部材60を移動させる力が無駄なくブレード部74に伝達され、ＩＣタグシール12を効率よく破断でき、より小さな力でＩＣタグシール12を破断できるという効果を付加することができる。
【００６８】
なお、本発明は、前記実施形態に限定されるものではなく、本発明の目的を達成できる範囲における変形及び改良などをも含むものである。
例えば、前記実施形態では、互いに係止しあう係止爪及び係止段部のうち、係止爪を破断部材側に設け、係止段部をカバー部材側に設けたが、これに限らず、係止爪をカバー部材側に設け、係止段部を破断部材側に設けてもよい。
なお、本発明は、スロットマシンに限らず、パチンコ機等の弾球遊技機にも適用でき、要するに、マイクロプロセッサからなるＣＰＵを内部に収納している基板ケースを備えた遊技機全般に適用できる。
【符号の説明】
【００６９】
1    遊技機としてのスロットマシン
12    ＩＣタグシール
50    基板ケース
52    ベース部
53    蓋部
54, 55    被挟持部
56A,56B   タグ貼付面
58A,58B   スリット
60    カバー部材
60A   ブレード挿通孔
61A,61B   腕部
64    係止段部
70    破断部材
71    頭部
72, 74    ブレード部
73    係止爪
80    制御基板としての主制御基板
α    破断スタート位置
【要約】
【課題】基板ケースの開放で確実にＩＣタグシールが破断される遊技機の提供。
【解決手段】基板ケース50に形成された被挟持部54, 55をカバー部材60で挟持するとともに、被挟持部54, 55に形成されたタグ貼付面56A, 56BにＩＣタグシール12を貼り付ける。これにより、ＩＣタグシール12をカバー部材60で密閉し、且つ、カバー部材60を引き抜かないと、基板ケース50が開かないようにする。そして、カバー部材60の開口部62側の端縁近傍に形成したブレード挿通孔60A に破断部材70をセットしておく。基板ケース50を開く際に、カバー部材60を被挟持部54, 55から抜くと、破断部材70のブレード部72が移動し、ブレード部72の刃先がＩＣタグシールを確実に破断する。
【選択図】    図１０【図１】
0004785097.tif 000002
【図２】
0004785097.tif 000003
【図３】
0004785097.tif 000004
【図４】
0004785097.tif 000005
【図５】
0004785097.tif 000006
【図６】
0004785097.tif 000007
【図７】
0004785097.tif 000008
【図８】
0004785097.tif 000009
【図９】
0004785097.tif 000010
【図１０】
0004785097.tif 000011
【図１１】
0004785097.tif 000012
【図１２】
0004785097.tif 000013
【図１３】
0004785097.tif 000014
【図１４】
0004785097.tif 000015
【図１５】
0004785097.tif 000016